(57)【特許請求の範囲】
【請求項１】
モバイルデッキ支持装置において、
船舶の内部に設けられるフレームと、
前記フレームに設けられるストッパー部と、
前記ストッパー部の上部に離隔するように前記フレームに設けられる固定部と、
前記固定部に設けられる作動部と、
前記作動部とストッパー部とを互いに連結させる連結部と、を含んで構成され、
前記ストッパー部には、
前記フレームに結合固定される第１固定部材が備えられ、
前記第１固定部材の正面に突出した第１固定具が形成され、
前記第１固定具に結合固定されるストッパーが備えられ、
前記ストッパー部には、
前記ストッパーの上部に突出した第１結束具が形成され、
前記固定部には、
前記フレームに結合固定される第２固定部材が備えられ、
前記第２固定部材の正面に突出し、水平方向に互いに離隔して配列された第２及び第３
固定具が形成され、
前記第３固定具の先端下部には、第２結束具が突設されたことを特徴とするモバイルデッキ支持装置。
【請求項２】
前記作動部には、
前記固定部の第２固定具に結合固定されるハウジングが備えられ、
前記ハウジングの下部に、先端部に第１ローラが備えられた延長部材が延設され、
前記ハウジングの正面に、先端部に第２ローラが備えられたレバーが結合固定されたこ
とを特徴とする請求項１に記載のモバイルデッキ支持装置。
【請求項３】
前記第１ローラ及び第２ローラは、前記固定部の第３固定具の方向に突出するように備
えられたことを特徴とする請求項２に記載のモバイルデッキ支持装置。
【請求項４】
前記第１ローラには、定着溝が形成されたことを特徴とする請求項３に記載のモバイル
デッキ支持装置。
【請求項５】
前記連結部には、一方の先端部が前記ストッパー部のストッパーに形成された第１結束
具に結合固定され、他方の先端部が前記固定部の第３固定具に形成された第２結束具に結
合固定されるワイヤーが備えられたことを特徴とする請求項１に記載のモバイルデッキ支
持装置。
【請求項６】
前記ワイヤーは、「く」字状に形成されたことを特徴とする請求項５に記載のモバイル
デッキ支持装置。
【発明の詳細な説明】
【技術分野】
【０００１】
本発明は、モバイルデッキ支持装置に係り、より詳細には、車両などの積載物を積載したモバイルデッキを上昇させる動作だけで段ごとにフレームに設けられたストッパーに自動的に定着できるようにし、逆に、モバイルデッキを下降させる作業を行うときにも、作業者が、別途の操作無しでモバイルデッキを持ち上げる動作だけで、モバイルデッキがストッパーから離脱して下降作業が行われるようになり、これにより、車両などの積載物のモバイルデッキへの積載及び荷役作業を容易に行うことができるようにしたモバイルデッキ支持装置に関する。
【背景技術】
【０００２】
一般的には車両運搬用船舶（ＰＣＣ：Ｐｕｒｅ  Ｃａｒ  Ｃａｒｒｉｅｒ、ＰＣ  ＆  ＴＣ：Ｐｕｒｅ  Ｃａｒ  ＆  Ｔｒｕｃｋ  Ｃａｒｒｉｅｒ）においては、限られた空間により多くの車両を収容するために、車両を多段のデッキに収容して積載することが多い。モバイルデッキはこの用途に用いられる装置である。 
【０００３】
従来のモバイルデッキ支持装置は、４本の柱の内側に、多段のデッキ支持装置を設け、夫々の支持装置に車両が搭載されたデッキを係着し、車両を段のデッキに収容して積載する。
このように、従来のモバイルデッキ支持装置は、図１に示すように、船舶の内部に設置される各柱１のそれぞれの内側面に回転軸２１を中心に回動するストッパー２を段ごとに設置して構成される。
【０００４】
また、ストッパーを回動させることができるように、それぞれのストッパーには、ワイヤー１０が連結され、ストッパー２に連結された反対方向のワイヤー１０は、それぞれのワイヤー１０を選択的に操作できるように固定手段に固定される。
このように構成された従来のモバイルデッキ支持装置では、モバイルデッキ３を最上段から積載する場合には、モバイルデッキ３を上側に上昇させると、下段のストッパー２と接触し下段のストッパー２を起こしながら上側に移動し、最上段に位置したストッパー２に定着することで積載作業が行われる。
このような方法により各段に備えられたストッパー２にモバイルデッキ３を定着させることで、各段に備えられたストッパー２に順次モバイルデッキ３を積載することができる。
【０００５】
逆に、モバイルデッキ３を荷役する場合では、最下段のモバイルデッキ３から荷役作業を行い始める。このとき、ストッパー２に定着しているモバイルデッキ３を上部に若干持ち上げてストッパー２が回動し得る空間を確保した後ワイヤー１０を引き寄せると、ストッパー２は、回転軸２１を中心に回動して起こされ、この状態で、モバイルデッキ３を下降させる荷役作業が行われる。
このように、下段のモバイルデッキ３を荷役した後では、下段のストッパー２が起こされた状態で、次の段のストッパー２をその下段のストッパー２を起こす同じ方法により起こし、その後、モバイルデッキ３を下降させる作業を行う。
【０００６】
このようにストッパーを起こした後にモバイルデッキを下降させる作業を行う方式を用いて、ストッパーに定着したモバイルデッキを順次下降させる作業を行うことができる。
したがって、従来のモバイルデッキ支持装置は、各段でモバイルデッキを支持し、デッキを下降させるたびにストッパーの回動動作を制御するワイヤーを用いてストッパーを作動させる必要があるので、作業能率が低下するという問題があった。
【０００７】
つまり、リフト装置が搭載された車両を運転する作業者が積載したい当該段の下部にリフト車両を移動させた後、運転席から降りて当該段のワイヤーを束ねたり解いたりする動作を繰り返す必要があるため、作業能率が大幅に低下し、積載及び荷役作業に多くの時間と労力が求められるという問題があった。
【０００８】
したがって、本出願人は、かかる問題点を解決するために、大韓民国特許登録第１０−１２４９０７３号に「モバイルデッキ支持装置」を提示している。
しかし、前記特許登録第１０−１２４９０７３号に係る発明は、構造が複雑で、多くの部品を必要とするため、作製コストが上昇し、メンテナンス作業に多くの時間がかかるという欠点があった。
【先行技術文献】
【特許文献】
【０００９】
【特許文献１】大韓民国特許登録第１０−１２４９０７３号公報
【発明の概要】
【発明が解決しようとする課題】
【００１０】
本発明は、上述した従来の問題点を解決するために案出されたもので、モバイルデッキを上昇させると、ストッパーが自動的に起こされるとともにストッパーの自重によって元の状態に復帰し、モバイルデッキが安全に定着して、モバイルデッキへの積載物の積載作業が完了し、また、荷役作業時にも、ストッパーが自動的に起こされてモバイルデッキの下降を可能にすることにより、積載物のモバイルデッキへの積載及び荷役作業を容易に行うことができるモバイルデッキ支持装置を提供することを目的とする。
【００１１】
また、モバイルデッキの昇降動作によってストッパーが自動的に起こされたり倒されたりすることにより、積載物のモバイルデッキへの積載及び荷役作業を容易に行うことができるとともに、積載及び荷役作業時間を短縮させることができるモバイルデッキ支持装置を提供することを他の目的とする。
【００１２】
さらに、作動部の動作によってストッパの動作を可能にするガイド部は、ワイヤーを用いてストッパーを作動させることにより、ストッパーの反復的な動作に起因してモバイルデッキ支持装置の部品が簡単に破損してしまうことを防止することができるモバイルデッキ支持装置を提供することをまた他の目的とする。
【００１３】
さらにまた、ガイド部のワイヤーを動作させるローラには「Ｖ」字状の溝を形成することにより、ワイヤーを動作させるとき、ワイヤーのローラからの離脱を防止することができるモバイルデッキ支持装置を提供することをさらにまた他の目的とする。
【課題を解決するための手段】
【００１４】
上記目的を達成するための本発明は、モバイルデッキ支持装置において、各コーナー部に垂直方向に設けられるフレームと、前記フレームに設けられるストッパー部と、前記ストッパー部の上部に離隔するようにフレームに設けられる固定部と、前記固定部に設けられる作動部と、前記作動部とストッパー部とを互いに連結させる連結部と、を含んで構成されたことを特徴とする。
【００１５】
ここで、前記ストッパー部には、フレームに結合固定される第１固定部材が備えられ、前記第１固定部材の正面に突出した第１固定具が形成され、前記第１固定具に結合固定されるストッパーが備えられたことを特徴とする。
【００１６】
このとき、 前記ストッパー部には、前記ストッパーの上部に突出した第１結束具が形成されたことを特徴とする。
【００１７】
また、前記固定部には、フレームに結合固定される第２固定部材が備えられ、前記第２固定部材の正面に突出し、水平方向に互いに離隔して配列された第２及び第３固定具が形成されたことを特徴とする。
【００１８】
ここで、前記第３固定具の先端下部には、第２結束具が突設されたことを特徴とする。
【００１９】
また、前記作動部には、前記固定部の第２固定具に結合固定されるハウジングが備えられ、前記ハウジングの下部に、先端部に第１ローラが備えられた延長部材が延設され、前記ハウジングの正面に、先端部に第２ローラが備えられたレバーが結合固定されたことを特徴とする。
【００２０】
ここで、前記第１ローラ及び第２ローラは、前記固定部の第３固定具の方向に突出するように備えられたことを特徴とする。
【００２１】
さらに、前記第１ローラには、定着溝が形成されたことを特徴とする。
【００２２】
そして、前記連結部には、一方の先端部が前記ストッパー部のストッパーに形成された第１結束具に結合固定され、他方の先端部が前記固定部の第３固定具に形成された第２結束具に結合固定されるワイヤーが備えられたことを特徴とする。
【００２３】
ここで、前記ワイヤーは、「く」字状に形成されたことを特徴とする。
【発明の効果】
【００２４】
このように構成された本発明によれば、モバイルデッキを上昇させると、ストッパーが自動的に起こされるとともにストッパーの自重によって元の状態に復帰し、モバイルデッキが安全に定着して、モバイルデッキへの積載物の積載作業が完了し、また、荷役作業時にも、ストッパーが自動的に起こされてモバイルデッキが下降を可能にすることにより、積載物のモバイルデッキへの積載及び荷役作業を容易に行うことができるという効果がある。
【００２５】
また、モバイルデッキの昇降動作によってストッパーが自動的に起こされたり倒されたりすることにより、積載物のモバイルデッキへの積載及び荷役作業を容易に行うことができるとともに、積載及び荷役作業時間を短縮させることができるという効果がある。
【００２６】
さらに、作動部の動作によってストッパの動作を可能にするガイド部は、ワイヤーを用いてストッパーを作動させることにより、ストッパーの反復的な動作に起因してモバイルデッキ支持装置の部品が簡単に破損してしまうことを防止することができるという効果がある。
【００２７】
さらにまた、ガイド部のワイヤーを動作させるローラには「Ｖ」字状の溝を形成することにより、ワイヤーを動作させるとき、ワイヤーのローラからの離脱を防止することができるという効果がある。
【図面の簡単な説明】
【００２８】
【図１】従来のモバイルデッキ支持装置を示す図である。
【図２】本発明に係るモバイルデッキ支持装置を示す斜視図である。
【図３】本発明に係るモバイルデッキ支持装置を示す正面図である。
【図４】本発明に係るモバイルデッキ支持装置を示す側面図である。
【図５】本発明に係るモバイルデッキ支持装置を示す平面図である。
【図６】本発明のストッパー部を示す図である。
【図７ａ】本発明の固定部を示す図である。
【図７ｂ】本発明の固定部を示す図である。
【図８ａ】本発明の作動部を示す図である。
【図８ｂ】本発明の作動部を示す図である。
【図９】本発明の連結部を示す図である。
【図１０ａ】本発明に係るモバイルデッキ支持装置の作用関係を示すもので、モバイルデッキがストッパーに定着するステップを示す図である。
【図１０ｂ】本発明に係るモバイルデッキ支持装置の作用関係を示すもので、モバイルデッキがストッパーに定着した状態を示す図である。
【図１０ｃ】本発明に係るモバイルデッキ支持装置の作用関係を示すもので、モバイルデッキが下降するステップを示す図である。
【図１０ｄ】本発明に係るモバイルデッキ支持装置の作用関係を示すもので、モバイルデッキが下降した状態を示す図である。
【発明を実施するための形態】
【００２９】
以下、添付図面に基づいて、本発明に係るモバイルデッキ支持装置について詳細に説明する。
【００３０】
図２は、本発明に係るモバイルデッキ支持装置を示す斜視図であり、図３は、本発明に係るモバイルデッキ支持装置を示す正面図であり、図４は、本発明に係るモバイルデッキ支持装置を示す側面図であり、図５は、本発明に係るモバイルデッキ支持装置を示す平面図であり、図６は、本発明のストッパー部を示す図であり、図７a及び図７ｂは、本発明の固定部を示す図であり、図８ａ及び図８ｂは、本発明の作動部を示す図であり、図９は、本発明の連結部を示す図である。
【００３１】
図２乃至図９に示すように、本発明に係るモバイルデッキ支持装置１００は、船舶の内部に設けられるフレーム１１０と、前記フレーム１１０に設けられるストッパー部２１０と、前記ストッパー部２１０の上部に離隔するようにフレーム１１０に設けられる固定部３１０と、前記固定部３１０に設けられる作動部４１０と、前記作動部３１０とストッパー部２１０とを互いに連結させることにより、作動部３１０の動作によりストッパ部２１０が動作できるようにする連結部５１０と、で構成される。
ここで、前記フレーム１１０は、船舶の内部の各コーナー部に垂直方向に多数設けられる。
【００３２】
そして、前記ストッパー部２１０には、フレーム１１０にボルト等の固定手段によって結合固定され、第１固定具２１４が正面に突設された第１固定部材２１２が備えられる。
ここで、前記第１固定部材２１２に形成された第１固定具２１４に、ヒンジピン等により回動自在に結合固定されるストッパー２２０が備えられる。
【００３３】
さらに、前記ストッパー２２０の上端部には、第１結束具２２２が上部に突設される。
したがって、前記ストッパー２２０は、モバイルデッキが上部に上昇するとともに接触すると、第１固定具２１４に固定された位置を中心にして上部に回動して垂直状態になり、モバイルデッキからストッパー２２０が外れると、前記ストッパー２２０は自重によって元の状態に復帰する。
【００３４】
また、前記固定部３１０には、ボルト等の固定手段によってフレーム１１０に結合固定され、ストッパー部２１０の第１固定部材２１２の上部に所定の間隔を置いて結合固定される第２固定部材３１２が備えられる。
ここで、前記第２固定部材３１２の正面に、第２固定具３１４及び第３固定具３１６が突設され、このとき、第２固定具３１４に隣接して第３固定具３１６が形成されるが、第２及び第３固定具は所定の間隔を置いて形成され、第３固定具３１６の長さを第２固定具３１４の長さよりも長くする。
このとき、前記第３固定具３１６の先端部には、第２結束具３１８が下方に突設される。
【００３５】
したがって、前記第２固定部材３１２は、第１固定部材２１２の上部に所定間隔離れた位置でフレーム１１０に結合固定された状態を維持する。
【００３６】
そして、前記作動部４１０には、前記固定部３１０の第２固定具３１４にボルトとナットなどの固定手段によって回動自在に結合固定されるハウジング４１２が備えられる。
このとき、前記ハウジング４１２は、一方の側部に第２固定具３１４が嵌合される締結溝４１４が欠切されており、このハウジング４１２の締結溝４１４に第２固定具３１４が嵌合された状態でボルト等の固定手段によって回動自在に第２固定具３１４に結合固定される。
【００３７】
したがって、前記ハウジング４１２は、第２固定具３１４に結合固定された位置を基準として上下に回動自在になる。
ここで、前記ハウジング４１２の下部に延長部材４１６が延設され、この延長部材４１６の下部先端部には、第１ローラ４１８が備えられる。
【００３８】
このとき、前記延長部材４１６は、ハウジング４１２と一体化されるが、ハウジング４１２と延長部材４１６を別途作製した後、ボルトなどの固定手段を用いて結合固定することもできる。
【００３９】
さらに、前記第１ローラ４１８は、第３固定具３１６が形成された方向を向けて設けられ、外周面には「Ｖ」字状の定着溝４１８ａが形成される。
併せて、前記ハウジング４１２の他の一方の側部に、すなわち一方の側がボルトなどの固定手段によって強固に結合固定されるレバー４２０が水平方向に備えられ、このレバー４２０の先端部には、第２ローラ４２２が固定部３１０の第３固定具３１６が形成された方向に突出するように備えられる。
この際、前記レバー４２０と延長部材４１６は、「Ｌ」字状を呈するように形成される。
【００４０】
したがって、前記モバイルデッキが上部に上昇するとともに第２ローラ４２２と接触して上部に押し上げると、第２固定具３１４に結合固定された位置を中心にしてハウジング４１２と延長部材４１６及びレバー４２０が上部に回動することになる。第２ローラに４２２からモバイルデッキが外れると、自重によってハウジング４１２と延長部材４１６及びレバー４２０が下部に回動して元の状態に復帰する。
【００４１】
また、前記連結部５１０は「く」字状に形成される。前記連結部５１０には、一方の先端部がストッパー２２０に形成された第１結束具２２２にボルト等の固定手段によって回動自在に結合固定され、他方の先端部が固定部３１０の第３固定具３１６に形成された第２結束具３１８にボルトなどの固定手段によって回動自在に結合固定されるワイヤー５１２が備えられる。
このとき、前記ワイヤー５１２は、作動部４１０の延長部材４１６に備えられた第１ローラ４１８の定着溝４１８ａに密着して備えられる。
【００４２】
したがって、前記の作動部４１０のハウジング４１２と延長部材４１６及びレバー４２０が下部に回動すると、ワイヤー５１２が後方に押さえられ、ストッパー２２０が上部に回動して垂直状態になる。
【００４３】
このように構成された本発明に係るモバイルデッキ支持装置の作用関係を説明すると、次の通りである。
【００４４】
図１０aは、本発明に係るモバイルデッキ支持装置の作用関係を示すもので、モバイルデッキがストッパーに定着するステップを示す図であり、図１０ｂは、本発明に係るモバイルデッキ支持装置の作用関係を示すもので、モバイルデッキがストッパーに定着した状態を示す図であり、図１０ｃは、本発明に係るモバイルデッキ支持装置の作用関係を示すもので、モバイルデッキが下降するステップを示す図であり、図１０ｄは、本発明に係るモバイルデッキ支持装置の作用関係を示すもので、モバイルデッキが下降した状態を示す図である。
【００４５】
同図に示すように、本発明に係るモバイルデッキ支持装置１００は、先ず、車両が搭載されたモバイルデッキ１０２を積載する場合では、リフト装置（図示せず）によりモバイルデッキ１０２を上昇させると、上昇するモバイルデッキ１０２がストッパー２２０と接触してストッパー２２０を上部に回動させる。すなわち、ストッパー２２０はモバイルデッキ１０２と接触するとともに上昇し、その上昇する力によって、第１固定具２１４を中心にしてストッパー２２０が上部に回動して垂直状態になる。
【００４６】
このように、前記ストッパー２２０を上部に回動させた状態でモバイルデッキ１０２を継続して上部に上昇させて、モバイルデッキ１０２がストッパー２２０から外れると、ストッパー２２０は自重によって下方に回動して元の状態に復帰する。
【００４７】
また、前記ストッパー２２０を通過したモバイルデッキ１０２は継続して上部に上昇し、このとき、モバイルデッキ１０２は、レバー４２０に備えられた第２ローラ４２２と接触し、これにより、レバー４２０が結合固定されたハウジング４１２が、第２固定具３１４に結束されている位置を中心にして延長部材４１６及びレバー４２０とともに上部に回動する。
【００４８】
このように、モバイルデッキ１０２が前記ストッパー部２１０の上部に備えられた作動部４１０に接触してハウジング４１２と延長部材４１６及びレバー４２０が回動した状態で、モバイルデッキ１０２を下降させると、モバイルデッキ１０２は、ストッパー２２０の上部に定着するようになる。
【００４９】
すなわち、図１０ａに示すように、モバイルデッキ１０２を上部に上昇させると、ストッパー２２０と接触するとともにストッパー２２を回動させ、モバイルデッキ１０２がストッパー２２０から外れると同時にストッパー２２０は元の状態に復帰し、モバイルデッキ１０２は、第２ローラ４２２と接触して作動部４１０のハウジング４１２と延長部材４１６及びレバー４２０を上部に回動させた状態になり、この状態で、モバイルデッキ１０２を下降させると、ストッパー２２０の上部にモバイルデッキ１０２が定着した状態になる。
【００５０】
すなわち、図１０ｂに示すように、モバイルデッキ１０２がストッパー２２０の上部に定着するが、作動部４１０のレバー４２０に備えられた第２ローラ４２２が、モバイルデッキ１０２の側部に接触し、ハウジング４１２とこのハウジング４１２に備えられた延長部材４１６とが上部に回動した状態になり、モバイルデッキ１０２がストッパー２２０の上部に定着した状態を維持する。
【００５１】
このような方式による反復的なモバイルデッキ１０２の動作により、上段から順次下段に向けてストッパー２２０にモバイルデッキ１０２を積載していく作業が行われる。
【００５２】
逆に、前記モバイルデッキ支持装置１００に積載されたモバイルデッキ１０２を下降させたい場合では、モバイルデッキ１０２を上段から順次ストッパー２２０に定着させるときとは逆にして下段から下降作業を行う。
【００５３】
すなわち、図１０ｃに示すように、モバイルデッキ支持装置１００のストッパー２２０に定着したモバイルデッキ１０２を、リフト装置を用いて、ストッパー２２０に定着したモバイルデッキ１０２が第１ローラ４１８から離脱してしまうまで、上部に移動させる。
【００５４】
このように、前記ストッパー２２０の上部から離隔するように移動させると、第２ローラ４２２がモバイルデッキ１０２から離脱し、これにより作動部４１０は自重により下部に回動しながら元の状態に復帰し、第１ローラ４１８がワイヤー５１２に接触した状態を維持する。
【００５５】
この状態で、前記モバイルデッキ１０２を下部に移動させると、モバイルデッキ１０２の下部に第２ローラ４２２が接触するとともに押圧力が発生し、作動部４１０を下部方向に回動させ、これによりモバイルデッキ１０２が下降する。
このように、前記モバイルデッキ１０２の下降により作動部４１０が下部に回動するとき、第１ローラ４１８と接触したワイヤー５１２が後方に押さえられるとともに、ワイヤー５１２の押圧力によってストッパー２２０が上方に回動して垂直状態になる。
【００５６】
このように、前記ストッパー２２０が上方に回動することにより、図１０ｄに示すように、モバイルデッキ１０２を下降させるとき、ストッパー２２０に妨害されずに容易に下方に移動して下降作業を行うことができる。
【００５７】
したがって、上述した方法を用いて、多段に備えられたストッパー２２０に定着した、上部に積載物を積載したモバイルデッキ１０２を、下段から順次下降させて荷役作業を行うことができる。
【００５８】
このように、前記モバイルデッキ支持装置１００において、モバイルデッキ１０２をストッパー２２０に定着または下降させるとき、モバイルデッキ１０２の上昇または下降動作によってストッパー２２０が自動的に起こされたり倒されたりできるように構成することにより、別途の操作無しで簡便かつ容易にモバイルデッキ１０２をストッパー２２０に定着させたりストッパー２２０から離脱させて下降させたりすることができ、その結果、モバイルデッキ１０２に積載物の積載や荷役作業を容易に行うことができる。
【００５９】
以上、本発明に係るモバイルデッキ支持装置の好適な実施形態について説明したが、本発明はこれに限定されるものではなく、特許請求の範囲と発明の詳細な説明及び添付した図面の範囲内で様々に変形して実施することが可能であり、これもまた本発明の権利範囲に属することはいうまでもない。
【産業上の利用可能性】
【００６０】
本発明は、モバイルデッキ支持装置に係り、より詳細には、車両などの積載物を積載したモバイルデッキを上昇させる動作だけで段ごとにフレームに設けられたストッパーに自動的に定着できるようにし、逆に、モバイルデッキを下降させる作業を行うときにも、作業者が、別途の操作無しでモバイルデッキを持ち上げる動作だけで、モバイルデッキがストッパーから離脱して下降作業が行われることになり、これにより、車両などの積載物のモバイルデッキへの積載及び荷役作業を容易に行うことができるようにしたモバイルデッキ支持装置に関する。
【符号の説明】
【００６１】
１００・・モバイルデッキ支持装置、１１０・・フレーム、２１０・・ストッパー部、３１０・・固定部、４１０・・作動部、５１０・・連結部。
【図１】
0006423101.tif 000002
【図２】
0006423101.tif 000003
【図３】
0006423101.tif 000004
【図４】
0006423101.tif 000005
【図５】
0006423101.tif 000006
【図６】
0006423101.tif 000007
【図７ａ】
0006423101.tif 000008
【図７ｂ】
0006423101.tif 000009
【図８ａ】
0006423101.tif 000010
【図８ｂ】
0006423101.tif 000011
【図９】
0006423101.tif 000012
【図１０ａ】
0006423101.tif 000013
【図１０ｂ】
0006423101.tif 000014
【図１０ｃ】
0006423101.tif 000015
【図１０ｄ】
0006423101.tif 000016